(57)【要約】【課題】メイン処理装置の映像の再現にコストを費やすことなく、バックアップ用処理装置の映像への切り替えをスムーズに行うことが可能なＶＲコンテンツ再生システムを提供する。【解決手段】本発明は、メイン処理装置と、バックアップ用処理装置と、を備えたＶＲコンテンツ再生システムであって、メイン処理装置は、操作入力に応じた操作信号を出力する操作入力部と、受信した操作信号に応じた操作を示す追従情報をバックアップ用処理装置に出力し、操作信号に応じた操作を反映させた第１の再生信号を生成する第１の制御部と、を含み、バックアップ用処理装置は、メイン処理装置からの追従情報に基づいて、追従情報が示す操作を実行するための追従信号を生成する第２の制御部を含み、第２の制御部は、追従信号に対応する操作が反映された第２の再生信号を生成することを特徴とする。【選択図】図２
2019200538.tif 000002
【特許請求の範囲】
【請求項１】
ＶＲコンテンツの上映を管理するためのメイン処理装置と、前記メイン処理装置においてなされた操作入力を自動追従する、前記メイン処理装置のバックアップ用に設けられたバックアップ用処理装置と、を備えたＶＲコンテンツ再生システムであって、
前記メイン処理装置は、
前記操作入力に応じた操作信号を出力する操作入力部と、
前記操作入力部から出力された前記操作信号を受信し、当該受信した操作信号に基づいて、前記受信した操作信号に応じた操作を示す追従情報を生成して前記バックアップ用処理装置に出力する第１の制御部であって、前記受信した操作信号に応じた操作を反映させた、ＶＲコンテンツを再生するための第１の再生信号を生成する第１の制御部と、
を含み、
前記バックアップ用処理装置は、前記メイン処理装置から前記追従情報を受信し、前記追従情報に基づいて、前記追従情報が示す操作を実行するための追従信号を生成する第２の制御部を含み、
前記第２の制御部は、前記追従信号に基づいて、前記追従信号に対応する操作が反映された、ＶＲコンテンツを再生するための第２の再生信号を生成することを特徴とするＶＲコンテンツ再生システム。
【請求項２】
前記第２の制御部は、前記追従情報を受信してから所定の遅延時間の経過後に、前記追従信号を生成することを特徴とする請求項１に記載のＶＲコンテンツ再生システム。
【請求項３】
前記第１の制御部は、前記追従情報を生成してから所定の遅延時間の経過後に、前記追従情報を前記バックアップ用処理装置に出力することを特徴とする請求項１に記載のＶＲコンテンツ再生システム。
【請求項４】
前記第２の制御部は、
前記生成した追従信号の入力が有効になされたか否かを判定し、
前記生成した追従信号の入力が有効になされていない旨の判定がなされた場合、所定時間経過後に、前記生成した追従信号を再入力して、前記生成した追従信号の再入力が有効になされたか否かを判定し、
前記生成した追従信号の再入力が有効になされた旨の判定がなされるまで、前記所定時間経過後に前記生成した追従信号を再入力することを繰り返すことを特徴とする請求項１乃至３のいずれか一項に記載のＶＲコンテンツ再生システム。
【請求項５】
前記第１の制御部は、
前記操作入力について、前記ＶＲコンテンツの映像を操作するための機能が割り当てられているか否かを判定し、
前記機能が割り当てられている旨の判定がなされた場合、前記追従情報を生成することを特徴とする請求項１乃至４のいずれか１項に記載のＶＲコンテンツ再生システム。
【請求項６】
ＶＲシアター会場内に設置されたＶＲコンテンツ再生システムであって、
ＶＲコンテンツを再生するＶＲコンテンツ再生装置と、
前記ＶＲコンテンツを再生するための第１の再生信号を送信するメイン処理装置と、
前記ＶＲコンテンツを再生するための第２の再生信号を送信するバックアップ用処理装置と、
前記第１及び第２の再生信号をそれぞれ入力し、入力された前記第１及び第２の再生信号が出力される出力ポートを切り替えることにより、前記第１の再生信号及び前記第２の再生信号のいずれかを前記ＶＲコンテンツ再生装置に出力可能に構成された前記スイッチャーと、
を備えたことを特徴とするＶＲコンテンツ再生システム。
【発明の詳細な説明】
【技術分野】
【０００１】
本発明は、ＶＲコンテンツ再生システムに関し、より詳細には、メイン処理装置での操作入力をバックアップ用処理装置において追従するためのＶＲコンテンツ再生システムに関する。
【背景技術】
【０００２】
従来、ＶＲ（Ｖｉｒｔｕａｌ Ｒｅａｌｉｔｙ；仮想現実）の技術を用いて製作された対話性のあるＶＲコンテンツをＶＲシアター内で再生するＶＲコンテンツ再生システムがある（例えば特許文献１参照）。ＶＲコンテンツ再生システムでは、ＶＲシアター内の複数の視聴者が視聴可能な大型ディスプレイ等の表示画面及び高出力のスピーカーを含むＶＲコンテンツ再生装置を介してＶＲコンテンツが視聴者へ提供される。
【０００３】
ナビゲータ（司会者）は、キーボードやコントローラを用いてパーソナルコンピュータ等の処理装置に対して操作入力を行い、ナビゲータと視聴者との対話に応じて次に再生するＶＲコンテンツや実行する機能（例えばカメラアングルの変更など）をその場で選択する。
【先行技術文献】
【特許文献】
【０００４】
【特許文献１】特開２０１７−００５２８７号公報
【発明の概要】
【発明が解決しようとする課題】
【０００５】
しかしながら、従来のＶＲコンテンツ再生システムにおいては、ＶＲコンテンツの上映中に、処理装置においてフリーズ等のトラブルが発生し、ＶＲコンテンツの上映が停止した場合、例えば、フリーズ等が解消するのを待ったり、処理装置を再起動したりする必要があった。そのため、トラブルを迅速に対応できず、ＶＲコンテンツの上映再開に著しく時間を費やすような事態が発生していた。
【０００６】
本発明は、上記の課題に鑑みてなされたものであり、ＶＲコンテンツの再生に用いられる処理装置にトラブルが発生した場合であっても、時間を著しく費やすことなくＶＲコンテンツの上映再開が可能なＶＲコンテンツ再生システムを提供することを目的としている。
【課題を解決するための手段】
【０００７】
本発明の一態様に係るＶＲコンテンツ再生システムは、ＶＲコンテンツの上映を管理するためのメイン処理装置と、前記メイン処理装置においてなされた操作入力を自動追従する、前記メイン処理装置のバックアップ用に設けられたバックアップ用処理装置と、を備えたＶＲコンテンツ再生システムであって、前記メイン処理装置は、前記操作入力に応じた操作信号を出力する操作入力部と、前記操作入力部から出力された前記操作信号を受信し、当該受信した操作信号に基づいて、前記受信した操作信号に応じた操作を示す追従情報を生成して前記バックアップ用処理装置に出力する第１の制御部であって、前記受信した操作信号に応じた操作を反映させた、ＶＲコンテンツを再生するための第１の再生信号を生成する第１の制御部と、を含み、前記バックアップ用処理装置は、前記メイン処理装置から前記追従情報を受信し、前記追従情報に基づいて、前記追従情報が示す操作を実行するための追従信号を生成する第２の制御部を含み、前記第２の制御部は、前記追従信号に基づいて、前記追従信号に対応する操作が反映された、ＶＲコンテンツを再生するための第２の再生信号を生成することを特徴とする。
【０００８】
本発明の他の態様に係るＶＲコンテンツ再生システムによると、前記第２の制御部は、前記追従情報を受信してから所定の遅延時間の経過後に、前記追従信号を生成することを特徴とする。
【０００９】
本発明の他の態様に係るＶＲコンテンツ再生システムによると、前記第１の制御部は、前記追従情報を生成してから所定の遅延時間の経過後に、前記追従情報を前記バックアップ用処理装置に出力することを特徴とする。
【００１０】
本発明の他の態様に係るＶＲコンテンツ再生システムによると、前記第２の制御部は、前記生成した追従信号の入力が有効になされたか否かを判定し、前記生成した追従信号の入力が有効になされていない旨の判定がなされた場合、所定時間経過後に、前記生成した追従信号を再入力して、前記生成した追従信号の再入力が有効になされたか否かを判定し、前記生成した追従信号の再入力が有効になされた旨の判定がなされるまで、前記所定時間経過後に前記生成した追従信号を再入力することを繰り返すことを特徴とする。
【００１１】
本発明の他の態様に係るＶＲコンテンツ再生システムによると、前記第１の制御部は、前記操作入力について、前記ＶＲコンテンツの映像を操作するための機能が割り当てられているか否かを判定し、前記機能が割り当てられている旨の判定がなされた場合、前記追従情報を生成することを特徴とする。
【００１２】
本発明のさらに他の態様に係るＶＲコンテンツ再生システムは、ＶＲシアター会場内に設置されたＶＲコンテンツ再生システムであって、ＶＲコンテンツを再生するＶＲコンテンツ再生装置と、前記ＶＲコンテンツを再生するための第１の再生信号を送信するメイン処理装置と、前記ＶＲコンテンツを再生するための第２の再生信号を送信するバックアップ用処理装置と、前記第１及び第２の再生信号をそれぞれ入力し、入力された前記第１及び第２の再生信号が出力される出力ポートを切り替えることにより、前記第１の再生信号及び前記第２の再生信号のいずれかを前記ＶＲコンテンツ再生装置に出力可能に構成された前記スイッチャーと、を備えたことを特徴とする。
【発明の効果】
【００１３】
本発明の一態様に係るＶＲコンテンツ再生システムによると、ＶＲコンテンツの再生に用いられる処理装置にトラブルが発生した場合であっても、時間を著しく費やすことなくＶＲコンテンツの上映を再開することが可能となる。また、本発明の一態様に係るＶＲコンテンツ再生システムによると、メイン処理装置の映像の再現にコストを費やすことなく、バックアップ用処理装置の出力信号への切り替えをスムーズに行うことが可能となる。
【図面の簡単な説明】
【００１４】
【図１】本発明の第１の実施形態に係るＶＲコンテンツ再生システムの構成の一例を示す図である。
【図２】本発明の第１の実施形態に係る追従システムの構成の一例を示すブロック図である。
【図３】本発明の第２の実施形態に係るＶＲコンテンツ再生システムの構成の一例を示す図である。
【図４】本発明の第２の実施形態に係る追従システムの構成の一例を示すブロック図である。
【図５】本発明の第３の実施形態に係るＶＲコンテンツ再生システムを説明するための図である。
【図６】本発明の第５の実施形態に係るＶＲコンテンツ再生システムを説明するための図である。
【図７】本発明の第５の実施形態に係るＶＲコンテンツ再生システムにおける処理フローを示す図である。
【図８】本発明の第６の実施形態に係るＶＲコンテンツ再生システムを説明するための図である。
【図９】本発明の第６の実施形態に係るＶＲコンテンツ再生システムにおける処理フローを示す図である。
【発明を実施するための形態】
【００１５】
以下、本発明の各実施形態について、図面を参照しながら詳細に説明する。
【００１６】
（第１の実施形態）
図１は、本発明の第１の実施形態に係るＶＲコンテンツ再生システムの構成の一例を示す。図１には、ＶＲコンテンツ再生装置１と、スイッチャー２と、追従システム１００と、を含む、ＶＲシアター内に設けられたＶＲコンテンツ再生システムが示されている。図１に示されるように、追従システム１００は、ＶＲコンテンツの上映を管理するためのメイン処理装置１１０と、メイン処理装置１１０のバックアップ用に設けられたバックアップ用処理装置１２０と、を含む。本実施形態では、ＶＲコンテンツの上映開始時はメイン処理装置１１０を利用しているものとして説明する。
【００１７】
ＶＲコンテンツ再生装置１は、例えば、ＶＲシアターの会場内に設置され、複数の視聴者が視聴可能な大型ディスプレイ等の表示画面と、高出力のスピーカーと、を含んで構成される。ＶＲコンテンツ再生装置１は、表示画面やスピーカーに出力することによって、ＶＲコンテンツを視聴者へ提供する。
【００１８】
スイッチャー２は、複数の入力ポート及び出力ポートを有する。スイッチャー２は、複数の入力ポートのうちのいずれか２つがメイン処理装置１１０及びバックアップ用処理装置１２０に接続され、複数の出力ポートのうちのいずれかがＶＲコンテンツ再生装置１に接続されて構成されている。スイッチャー２は、メイン処理装置１１０及びバックアップ用処理装置１２０からＶＲコンテンツを再生するための第１及び第２の再生信号をそれぞれ入力する。スイッチャー２は、ナビゲータの操作に応じて、入力された再生信号が出力される出力ポートへ切り替えることが可能である。本実施形態では、スイッチャー２は、通常時には、メイン処理装置１１０に接続された入力ポートがＶＲコンテンツ再生装置１に接続された出力ポートに結合され、バックアップ用処理装置１２０に接続された入力ポートが他の出力ポートに結合されるように入出力ポートを設定している。
【００１９】
メイン処理装置１１０及びバックアップ用処理装置１２０は、例えば、ナビゲータによってゲームパッドのようなコントローラやキーボードなどの操作入力部を用いて操作されるパーソナルコンピュータ等の情報処理装置とすることができる。
【００２０】
図２は、本発明の第１の実施形態に係動追従システムの構成の一例を示すブロック図である。図２には、メイン処理装置１１０と、バックアップ用処理装置１２０と、を備えた追従システム１００が示されている。図２に示されるように、メイン処理装置１１０は、第１の操作入力部１１１と、第１の記憶部１１２と、第１の通信部１１３と、第１の表示部１１４と、第１の制御部１１５と、を含む。バックアップ用処理装置１２０は、第２の操作入力部１２１と、第２の記憶部１２２と、第２の通信部１２３と、第２の表示部１２４と、第２の制御部１２５と、を含む。
【００２１】
第１及び第２の操作入力部１１１及び１２１は、例えば、複数の操作キーを有するキーボード、マウス、コントローラ、タッチパネル、またはリモートコントローラ若しくは携帯型端末からその操作入力に基づく操作信号を取得することができる入力インターフェース等のうちの１つ又は複数で構成することができる。第１の操作入力部１１１及び第２の操作入力部１２１の操作キーによる操作入力の１又は複数には、ＶＲコンテンツの映像を操作するための機能が割り当てられている。ナビゲータが操作キーによって操作入力を行うことにより、再生するＶＲコンテンツの映像においてその操作入力に割り当てられた機能に対応する操作が実行される。ここで、操作入力は、スイッチャー２を介して取得してもよい。
【００２２】
第１の操作入力部１１１は、ナビゲータによる各種の操作入力を受け付け、当該受け付けた操作入力に基づく操作信号を第１の制御部１１５に出力する。第２の操作入力部１２１も同様に、ナビゲータによる各種の操作入力を受け付け、当該受け付けた操作入力に基づく操作信号を第２の制御部１２５に出力する。
【００２３】
ここで、操作入力に基づく操作信号とは、例えば、予め用意された複数のＶＲコンテンツの中から選択してＶＲコンテンツを再生するための操作入力に基づく操作信号、ＶＲコンテンツ再生装置１に表示されたＶＲコンテンツの映像を上下左右にスクロールさせるための操作入力に基づく操作信号、ＶＲコンテンツ再生装置１に表示されたＶＲコンテンツの映像のカメラアングルを変更するための操作入力に基づく操作信号、ＶＲコンテンツ再生装置１に表示されたＶＲコンテンツのシナリオを変更するための操作入力に基づく操作信号等、その操作入力に割り当てられた機能に対応する操作を実行するための操作信号を含むことができる。第１の操作入力部１１１及び第２の操作入力部１２１の各々は、例えばキーボードにおける１つのキー入力毎やコントローラにおける１つのボタン入力毎など、１つの操作入力毎に操作信号を生成して出力することができる。
【００２４】
第１及び第２の記憶部１１２及び１２２は、例えば本発明に係るプログラム、ＶＲコンテンツを起動するためのプログラム、第１及び第２の操作入力部１１１及び１２１により入力された操作信号など、種々の情報を記憶することができる。第１及び第２の記憶部１１２及び１２２は、例えば、ＨＤＤ、フラッシュメモリ、ＥＥＰＲＯＭ、ＲＯＭ、ＲＡＭ、又はそれらの任意の組み合わせで構成される。
【００２５】
第１の通信部１１３及び第２の通信部１２３は、有線及び／又は無線の通信ネットワークを用いた通信インターフェースとすることができる。
【００２６】
第１の表示部１１４は、第１の制御部１１５が各種プログラムを実行することによって生成された各種画面及び画像を表示することができる。第２の表示部１２４も同様に、第２の制御部１２５が各種プログラムを実行することによって生成された各種画面及び画像を表示することができる。
【００２７】
第１及び第２の制御部１１５及び１２５は、例えばＣＰＵを含んで構成される。第１及び第２の制御部１１５及び１２５は、本発明に係るプログラムその他各種プログラムを実行し、処理装置における各処理を制御することができる。
【００２８】
第１の制御部１１５は、ＶＲコンテンツを再生するための第１の再生信号を第１の通信部１１３を介してスイッチャー２に出力する。また、第２の制御部１２５は、ＶＲコンテンツを再生するための第２の再生信号を第２の通信部１２３を介してスイッチャー２に出力する。本実施形態では、第１の制御部１１５から出力された第１の再生信号がスイッチャー２を介してＶＲコンテンツ再生装置１に出力される。第１及び第２の再生信号は、それぞれ、映像信号及び音響信号を含み、デジタル及びアナログのいずれの形式の信号であってもよい。
【００２９】
第１の制御部１１５は、第１の操作入力部１１１から操作信号を受信した場合、受信した操作信号に基づいて、再生するＶＲコンテンツの映像にこの操作信号に応じた操作を反映させた第１の再生信号を生成して出力する。ここで、操作信号に応じた操作とは、例えば、予め用意された複数のＶＲコンテンツの中からＶＲコンテンツを選択して再生する操作、ＶＲコンテンツ再生装置１に表示されたＶＲコンテンツの映像を上下左右にスクロールさせる操作、ＶＲコンテンツ再生装置１に表示されたＶＲコンテンツの映像のカメラアングルを変更する操作、ＶＲコンテンツ再生装置１に表示されたＶＲコンテンツのシナリオを変更する操作等、その操作信号の基となる操作入力に割り当てられた機能に対応する操作を含むことができる。
【００３０】
このように、第１の実施形態に係るＶＲコンテンツ再生装置では、ＶＲ上映において主に使用するメイン処理装置とは別に、バックアップ用処理装置も設置している。これにより、第１の実施形態に係るＶＲコンテンツ再生装置によると、例えば、メイン処理装置においてフリーズ等のトラブルが発生した場合、スイッチャー２によりＶＲコンテンツ再生装置１への再生信号をメイン処理装置１１０からバックアップ用処理装置１２０に切り替えることで、上映の進行が著しく滞るような事態を防止することができる。したがって、第１の実施形態に係るＶＲコンテンツ再生装置によると、時間を著しく費やすことなくＶＲコンテンツの上映を再開することが可能となる。  なお、本実施形態では、１台のバックアップ用処理装置１２０を用いた構成を例示したが、これに限定されず、複数台のバックアップ用処理装置１２０を用いた構成としてもよい。以下の実施形態でも同様である。
【００３１】
（第２の実施形態）
上記の第１の実施形態では、ＶＲシアターにおけるＶＲ上映において主に使用するメイン処理装置１１０とは別に、バックアップ用処理装置１２０も設置し、トラブルの発生に備えている。しかし、ＶＲコンテンツの映像作品は、通常の映像作品とは異なり、ナビゲータによる操作入力によってストーリーの進行度合いやカメラアングル等が変化する。そのため、バックアップ用処理装置１２０に切り替えて上映を継続するためには、トラブル発生直前のメイン処理装置１１０の映像の状態をバックアップ用処理装置１２０の映像で再現する必要がある。このため、上記第１の実施形態では、メイン処理装置１１０の操作にリアルタイムで追従するように裏方の操作者がバックアップ用処理装置１２０を手動で操作してメイン処理装置１１０の映像の状態を再現していた。そのため、バックアップ用処理装置１２０を操作する操作者を配置する必要があることから、人件費などのコストが余計にかかる場合がある。
【００３２】
以下、図３及び図４を用いて、本発明の第２の実施形態に係るＶＲコンテンツ再生システムを説明する。
【００３３】
図３は、本発明の第２の実施形態に係るＶＲコンテンツ再生システムの構成の一例を示す。図３には、ＶＲコンテンツ再生装置１と、スイッチャー２と、追従システム２００と、を含むＶＲコンテンツ再生システムが示されている。図３に示されるように、追従システム２００は、ＶＲコンテンツの上映を管理するためのメイン処理装置２１０と、メイン処理装置２１０のバックアップ用に設けられたバックアップ用処理装置２２０と、を含む。
【００３４】
以下の実施形態では、ＶＲコンテンツの上映開始時はメイン処理装置２１０を利用しているものとし、バックアップ用処理装置２２０がメイン処理装置２１０における操作入力を追従するものとして説明する。なお、以下の実施形態に係るＶＲコンテンツ再生装置の基本的な構成は第１の実施形態に係るＶＲコンテンツ再生装置と同様であるため、異なる部分のみ説明する。
【００３５】
図４は、本発明の第１の実施形態に係る追従システムの構成の一例を示すブロック図である。図４には、メイン処理装置２１０と、バックアップ用処理装置２２０と、を備えた追従システム２００が示されている。図４に示されるように、メイン処理装置２１０は、第１の操作入力部２１１と、第１の記憶部２１２と、第１の通信部２１３と、第１の表示部２１４と、第１の制御部２１５と、を含む。バックアップ用処理装置２２０は、第２の操作入力部２２１と、第２の記憶部２２２と、第２の通信部２２３と、第２の表示部２２４と、第２の制御部２２５と、を含む。第１及び第２の記憶部２１２及び２２２は、後述する、第１及び第２の制御部２１５及び２２５により生成された追従情報や追従信号をさらに記憶することができる。
【００３６】
第２の実施形態に係るＶＲコンテンツ再生装置では、第１の制御部２１５は、第１の操作入力部２１１から操作信号を受信した場合、受信した操作信号に基づいて、当該操作信号に応じた操作を示す追従情報を生成し、第１の通信部２１３を介してバックアップ用処理装置２２０に出力する。バックアップ用処理装置２２０の第２の制御部２２５は、第２の通信部２２３を介してメイン処理装置２１０から追従情報を受信する。第２の制御部２２５は、追従情報を受信した場合、受信した追従情報に基づいて、この追従情報によって示される操作を実行するための追従信号を生成して自らに入力する。第２の制御部２２５は、自ら入力した追従信号に基づいて、再生するＶＲコンテンツの映像にこの追従信号に対応する操作を反映させた第２の再生信号を生成して出力する。
【００３７】
このように、第１の制御部２１５が操作信号を受信したことに応答して追従情報をバックアップ用処理装置２２０に送信することにより、バックアップ用処理装置２２０では、メイン処理装置２１０でなされた操作と同じ操作が実行される。そのため、バックアップ用処理装置２２０は、メイン処理装置２１０での操作入力を自動的に追従するように第２の再生信号を生成することが可能となる。
【００３８】
以下、本発明の第２の実施形態に係る自動追従システムにおける自動追従方法の例を説明する。
【００３９】
ナビゲータによってメイン処理装置２１０の第１の表示部２１４に表示された複数のＶＲコンテンツの起動ファイルのうちの１つが第１の操作入力部２１１を介して選択されると、第１の操作入力部２１１から、複数のＶＲコンテンツの中からＶＲコンテンツを選択して再生するための操作信号が第１の制御部２１５に出力される。
【００４０】
第１の制御部２１５は、この操作信号を受信し、当該受信した操作信号に基づいて当該選択された起動ファイルに対応するＶＲコンテンツを再生するための第１の再生信号を生成して、第１の通信部２１３を介してスイッチャー２に出力する。さらに、第１の制御部２１５は、当該受信した操作信号に基づいて、第１の通信部２１３を介して当該受信した操作信号に応じた操作を示す追従情報をバックアップ用処理装置２２０に送信する。ここでは、追従情報は、複数のＶＲコンテンツの中からメイン処理装置２１０で選択されたＶＲコンテンツと同じＶＲコンテンツを選択して再生するための操作を示している。
【００４１】
バックアップ用処理装置２２０の第２の制御部２２５は、第２の通信部２２３を介してメイン処理装置２１０から追従情報を受信する。第２の制御部２２５は、受信した追従情報に基づいて、追従情報が示す操作、すなわちメイン処理装置２１０で選択されたＶＲコンテンツと同じＶＲコンテンツを選択して再生する操作を実行するための追従信号を生成して、自らに入力する。第２の制御部２２５は、追従信号に基づいて、メイン処理装置２１０で選択されたＶＲコンテンツと同じＶＲコンテンツを再生する。
【００４２】
その後、再生中のＶＲコンテンツのシナリオ進行に伴い、第１の操作入力部２１１を介してナビゲータによって例えばＶＲコンテンツの映像のカメラアングルを変更する操作入力が行われると、第１の操作入力部２１１から、当該操作入力に基づく操作信号が第１の制御部２１５に出力される。
【００４３】
第１の制御部２１５は、この操作信号を受信し、当該受信した操作信号に基づいて、ＶＲコンテンツの映像のカメラアングルの変更が反映された第１の再生信号を生成して、第１の通信部２１３を介してスイッチャー２に出力する。さらに、第１の制御部２１５は、当該受信した操作信号に基づいて、第１の通信部２１３を介して当該受信した操作信号に応じた操作を示す追従情報をバックアップ用処理装置２２０に送信する。ここでは、追従情報は、メイン処理装置２１０でなされたＶＲコンテンツの映像のカメラアングルの変更操作を示している。
【００４４】
バックアップ用処理装置２２０の第２の制御部２２５は、第２の通信部２２３を介してメイン処理装置２１０から追従情報を受信する。第２の制御部２２５は、受信した追従情報に基づいて、この追従情報が示す操作、すなわちメイン処理装置２１０でなされたＶＲコンテンツの映像のカメラアングルの変更と同じカメラアングルの変更操作を実行するための追従信号を生成して、自らに入力する。第２の制御部２２５は、追従信号に基づいて、メイン処理装置２１０でなされたＶＲコンテンツの映像のカメラアングルの変更と同じカメラアングルの変更操作が反映された第２の再生信号を生成して、第２の通信部２２３を介してスイッチャー２に出力する。
【００４５】
本発明の第２の実施形態に係るＶＲコンテンツ再生システムによると、メイン処理装置２１０にトラブルが発生した場合であっても、バックアップ用処理装置２２０においてメイン処理装置２１０での操作入力が自動追従されているため、メイン処理装置２１０の映像の再現にコストを費やすことなく、バックアップ用処理装置２２０の映像への切り替えをスムーズに行うことが可能となる。
【００４６】
（第３の実施形態）
図５を用いて、本発明の第３の実施形態に係る自動追従システムを説明する。
【００４７】
ナビゲータがメイン処理装置２１０のトラブル発生を認識してからスイッチャー２を用いてバックアップ用処理装置２２０の映像に切り替えるまでに、通常、数秒〜数十秒の時間がかかる。バックアップ用処理装置２２０がほぼ遅延なくメイン処理装置２１０での操作入力を自動追従している場合、ナビゲータが切り替え作業を行っている間にバックアップ用処理装置２２０の映像がメイン処理装置２１０のトラブル発生時点の映像を追い抜いてしまうおそれがある。
【００４８】
そこで、図５に示すように、バックアップ用処理装置２２０がメイン処理装置２１０から追従情報を受信してから所定の遅延時間（例えば３０秒など）の経過後に、バックアップ用処理装置２２０の第２の制御部２２５は当該受信した追従情報に基づいて追従信号を生成して入力する。それにより、バックアップ用処理装置２２０の映像への切り替えに要するタイムラグを吸収することができる。
【００４９】
ここで、上記実施形態では、バックアップ用処理装置２２０が追従情報を受信してから所定の遅延時間の経過後に追従信号を生成する構成を示したが、メイン処理装置２１０が追従情報を生成してから所定の遅延時間の経過後に追従情報を送信する構成としてもよい。
【００５０】
（第４の実施形態）
以下、本発明の第４の実施形態に係るＶＲコンテンツ再生システムを説明する。
【００５１】
本発明の第４の実施形態では、第１の制御部２１５は、ナビゲータによる誤操作防止のために、例えば特定のイベント期間中など、シナリオ途中で操作入力を無効化してもよい。また、第２の制御部２２５は、実際にバックアップ用処理装置２２０に切り替えた後に操作入力を無効化してもよい。こうすることで、ナビゲータによる誤操作防止に加え、バックアップ用処理装置２２０の無駄な処理を省略することができる。
【００５２】
（第５の実施形態）
図６及び図７を用いて、本発明の第５の実施形態に係るＶＲコンテンツ再生システムを説明する。バックアップ用処理装置２２０がメイン処理装置２１０から追従情報を受信して追従信号を生成したタイミングで操作入力が無効化されていた場合、追従信号が入力されてもバックアップ用処理装置２２０において追従のための操作入力が行われず、メイン処理装置２１０とバックアップ用処理装置２２０との間の同期がずれてしまう。
【００５３】
そこで、図６に示すように、操作入力が無効化されている状態でバックアップ用処理装置２２０が追従情報を受信して追従信号を生成した場合であっても、バックアップ用処理装置２２０は、操作入力が有効になるまで、生成した追従信号を所定の時間間隔（例えば５秒など）で繰り返し自らに入力する。
【００５４】
具体的には、図７の処理フローに示すように、ステップＳ７０１で、第２の制御部２２５は、追従信号が入力されたときに、追従信号の入力が有効になされたか否かを判定する。ステップＳ７０１で、追従信号の入力が有効になされた旨の判定がなされた場合、処理は終了する。ステップＳ７０１で、追従信号の入力が有効になされていない旨の判定がなされた場合、ステップＳ７０２で、第２の制御部２２５は、所定時間経過後に、生成した追従信号を再入力する。その後、ステップＳ７０３で、第２の制御部２２５は、追従信号の入力が有効になされたか否かを再び判定する。ステップＳ７０３で、追従信号の入力が有効になされた旨の判定がなされた場合、処理は終了する。ステップＳ７０３で、追従信号の入力が有効になされていない旨の判定がなされた場合、ステップＳ７０２に戻り、第２の制御部２２５は、所定時間経過後に、生成した追従信号を再入力する。
【００５５】
このように、操作入力が有効になされるまで、生成した追従信号を所定の時間間隔で繰り返し自らに入力するにより、上記の同期ずれを防止することが可能となる。
【００５６】
（第６の実施形態）
図８及び図９を用いて、本発明の第６の実施形態に係るＶＲコンテンツ再生システムを説明する。
【００５７】
メイン処理装置２１０への操作入力を全て追従情報として送信すると、通信負荷がかかるため、メイン処理装置２１０及びバックアップ用処理装置２２０の誤操作や上映品質の低下につながるおそれがある。
【００５８】
そこで、図８に示すように、第１の制御部２１５を、第１の操作入力部２１１において、ＶＲコンテンツの進行中のシナリオにおいてＶＲコンテンツの映像を操作するための機能が割り当てられた操作入力がなされた場合にのみ追従情報を生成して出力し、ＶＲコンテンツの映像を操作するための機能が割り当てられていない操作入力はなされた場合には追従情報を生成しないように構成することができる。
【００５９】
具体的には、図９の処理フローに示すように、ステップＳ９０１で、第１の制御部２１５は、ナビゲータによってなされた操作入力について、ＶＲコンテンツの映像を操作するための機能が割り当てられているか否かを判定する。ステップＳ９０１で、機能が割り当てられている旨の判定がなされた場合、ステップＳ９０２で、追従情報を生成する。ステップＳ９０１で、機能が割り当てられていない旨の判定がなされた場合、ステップＳ９０３で、追従情報を生成せずに処理は終了する。
【００６０】
このように、ナビゲータによる操作入力の中で、ＶＲコンテンツの映像を操作するための機能が割り当てられた操作入力のみについて追従情報を生成してバックアップ用処理装置２２０に出力することで、余計な通信負荷をかけることなく、メイン処理装置２１０の映像の状態をバックアップ用処理装置２２０の映像に正確に反映させることができる。
【００６１】
（第７の実施形態）
ＶＲコンテンツの上映前または上映後に、第１及び第２の記憶部２１２及び２２２に記憶された操作情報や追従情報をリセットしてもよい。
【図１】
2019200538.tif 000003
【図２】
2019200538.tif 000004
【図３】
2019200538.tif 000005
【図４】
2019200538.tif 000006
【図５】
2019200538.tif 000007
【図６】
2019200538.tif 000008
【図７】
2019200538.tif 000009
【図８】
2019200538.tif 000010
【図９】
2019200538.tif 000011